(57)【要約】【課題】部品点数が少なく、操作ボタン全体の意匠性が優れ、コンパクトにボタン配置ができ、安価な空気調和機の操作パネルを提供することを目的とする。【解決手段】表示部と、スイッチとを有する基板と、複数の形状の異なる、スイッチを操作するボタン１３ａが一個飛びに一列に一体成形された第１の操作ボタン成形品８ａと、第１の操作ボタン成形品８ａのボタン１３ａ間に収まる複数の形状の異なる、スイッチを操作するボタン１３ｂが一個飛びに一列に一体成形された第２の操作ボタン成形品８ｂと、第１の操作ボタン成形品８ａと第２の操作ボタン成形品８ｂとが組合せられ、ボタン１３ａ，１３ｂが曲線状に一列に連続配置された操作ボタン８とを備えたことを特徴とする。【選択図】図４
2008151419.tif 000002
【特許請求の範囲】
【請求項１】
表示部と、スイッチとを有する基板と、
複数の形状の異なる、前記スイッチを操作するボタンが一個飛びに一列に一体成形された第１の操作ボタン成形品と、
前記第１の操作ボタン成形品の前記ボタン間に収まる複数の形状の異なる、前記スイッチを操作するボタンが一個飛びに一列に一体成形された第２の操作ボタン成形品と、
前記第１の操作ボタン成形品と前記第２の操作ボタン成形品とが組合せられ、前記ボタンが曲線状に一列に連続配置された操作ボタンとを備えたことを特徴とする空気調和機の操作パネル。
【請求項２】
前記第１の操作ボタン成形品と前記第２の操作ボタン成形品との各ボタンは、下部に弾性を有する連結足を有し、前記連結足を連結棒にて一体に成形したことを特徴とする請求項１記載の空気調和機の操作パネル。
【請求項３】
前記第１の操作ボタン成形品と前記第２の操作ボタン成形品とを組合わせた場合に、それぞれの前記連結棒同士が干渉しないように、前記連結棒のいずれかをクランク形状にしたことを特徴とする請求項１又は請求項２記載の空気調和機の操作パネル。
【請求項４】
複数個のピンを形成した上ケースを設け、前記第１の操作ボタン成形品と前記第２の操作ボタン成形品とのそれぞれのボタンの上下に前記ピンに嵌合するピン孔を形成し、前記下のピン孔は、前記第１の操作ボタン成形品と前記第２の操作ボタン成形品とが組み合わされた場合、千鳥状に配置されることを特徴とする請求項１乃至３のいずれかに記載の空気調和機の操作パネル。
【請求項５】
前記第１の操作ボタン成形品の前記ボタンの数と、前記第２の操作ボタン成形品の前記ボタンの数とが異なることを特徴とする請求項１乃至４のいずれかに記載の空気調和機の操作パネル。
【発明の詳細な説明】
【技術分野】
【０００１】
この発明は、空気調和機の操作パネルに関するものである。
【背景技術】
【０００２】
従来の空気調和機（床置き形）では、操作パネルにおける複数の操作ボタンを一列に配置する場合、同一形状の操作ボタンを複数個横並びに配置していた。また、複数の操作ボタンを樹脂成形等で一体化した場合は、成形金型の強度上の関係等により操作ボタンの間隔を広くせざるを得なかった。
【特許文献１】２００３−２８４８３号公報
【発明の開示】
【発明が解決しようとする課題】
【０００３】
例えば、空気調和機の筐体の前面パネルが曲面で形成されている場合、同一形状の操作ボタンでは、前面パネルに設けられる操作パネルの操作ボタンを一列に曲面状に配置するのは困難である。形状の異なる複数の操作ボタンを組合わせて構成しなければならない。その場合には、部品（操作ボタン）の共通化が出来ず、部品点数が多く、部品加工費も高くなるという課題があった。
【０００４】
また、操作ボタンを一種類にして共通化した場合は、操作パネルの操作ボタン部はフラットになる。曲面状の前面パネルにフラットな操作ボタン部を有する操作パネルが付くという意匠的に好ましくない形態になる。
【０００５】
また、樹脂成形等で複数の操作ボタンを一体成形して曲面状の操作ボタン部を形成する場合には、金型の強度の関係で操作ボタン間の間隔をある程度広くする必要がある。操作ボタン間の間隔が広いと意匠上の制約が発生した。さらに、鍍金や塗装等の２次加工を行う場合等は、個々に操作ボタンを成形する場合に比し、作業がやりにくいという課題があった。
【０００６】
この発明は、上記のような課題を解決するためになされたもので、部品点数が少なく、操作ボタン全体の意匠性が優れ、コンパクトにボタン配置ができ、安価な空気調和機の操作パネルを提供することを目的とする。
【課題を解決するための手段】
【０００７】
この発明に係る空気調和機の操作パネルは、表示部と、スイッチとを有する基板と、複数の形状の異なる、スイッチを操作するボタンが一個飛びに一列に一体成形された第１の操作ボタン成形品と、第１の操作ボタン成形品のボタン間に収まる複数の形状の異なる、スイッチを操作するボタンが一個飛びに一列に一体成形された第２の操作ボタン成形品と、第１の操作ボタン成形品と第２の操作ボタン成形品とが組合せられ、ボタンが曲線状に一列に連続配置された操作ボタンとを備えたことを特徴とする。
【発明の効果】
【０００８】
この発明に係る空気調和機の操作パネルは、第１の操作ボタン成形品と第２の操作ボタン成形品とが組合せられ、ボタンが曲線状に一列に連続配置された操作ボタンを備えたことにより、部品点数が少なく、操作ボタン全体の意匠性が優れ、コンパクトにボタン配置ができ、安価な空気調和機の操作パネルが得られる。
【発明を実施するための最良の形態】
【０００９】
実施の形態１．
図１乃至図５は実施の形態１を示す図で、図１は床置き形空気調和機１００の斜視図、図２は操作パネル１の分解斜視図、図３は操作パネル１の断面図、図４は操作ボタン８の構成を示す分解斜視図、図５は操作ボタン８の正面図と側面図である。
【００１０】
図１により、床置き形空気調和機１００（空気調和機の一例）の外郭を形成する筐体を主体に説明する。床置き形空気調和機１００の前面は、下部に吸込み口２ａ（側面に形成される）を有する吸込みグリル２と、吸込みグリル２の上に位置するフロントパネル３と、上部に上下に開閉するシャッターパネル４とで構成される。吸込みグリル２とフロントパネル３との境界付近に操作パネル１が配置される。筐体の側面は、サイドパネル５で形成される。その他に、トップパネルと背面パネルとが組み合わされ、筐体となる。筐体の底部に、設置面となるベース６が設けられる。筐体の前面部分の横断面形状は、Ｒ４０００乃至Ｒ５０００（ｍｍ）程度の曲率半径の曲面になっている。
【００１１】
本実施の形態は、操作パネル１の構成に特徴がある。従って、筐体及びその内部構成については、詳細な説明は省略する。
【００１２】
図２は、操作パネル１の分解斜視図である。操作パネル１は、スイッチ９ａと、表示部９ｂ（発光ダイオード）とを有する基板９と、スイッチ９ａの操作ボタン８と、基板９及び操作ボタン８を間に挟む上ケース７と下ケース１０とを備える。
【００１３】
基板９の表示部９ｂは、運転状態（冷暖）、設定温度、風速、風向等を表示する。これらの設定をユーザ等が行うスイッチ９ａが基板９に設けられ、そのスイッチ９ａを操作するための操作ボタン８が複数個設けられる。
【００１４】
図３は操作パネル１の断面図である。上ケース７に操作ボタン８を固定するためのピン７ａが後方に延びて複数個形成されている。操作ボタン８は、上ケース７のピン７ａに操作ボタン８の孔が挿入されて固定される。スイッチ９ａと表示部９ｂとを有する基板９は下ケース１０に固定される。最後に、上ケース７と下ケース１０とをネジ等により締結固定する。
【００１５】
図４に示すように、操作ボタン８は、複数個の異なる形状のボタン１３ａが一個飛びに配列された第１の操作ボタン成形品８ａ（図４の例では、５個のボタン１３ａを有する）と、同じく複数個の異なる形状のボタン１３ｂが一個飛びに配列された第２の操作ボタン成形品８ｂ（図４の例では、４個のボタン１３ｂを有する）とに分割されている。第１の操作ボタン成形品８ａのボタン１３ａの数が、第２の操作ボタン成形品８ｂのボタン１３ｂの数より多い例を示したが、その逆でもよいし、同数でもよい。但し、第１の操作ボタン成形品８ａと、第２の操作ボタン成形品８ｂとを見分ける場合に、第１の操作ボタン成形品８ａのボタン１３ａの数と、第２の操作ボタン成形品８ｂのボタン１３ｂの数とが異なる方が区別しやすい。
【００１６】
このように、第１の操作ボタン成形品８ａと、第２の操作ボタン成形品８ｂとを分割して形成し組合わせるようにしているので、ボタン１３ａとボタン１３ｂとの間の隙間を狭くでき、コンパクトで、且つ見栄えのよい操作ボタン８を構成することができる。
【００１７】
第１の操作ボタン成形品８ａの各ボタン１３ａには、弾性を有する２本の連結足１１ａがある。各ボタン１３ａはそれぞれの２本の連結足１１ａが連結棒１２ａに繋がり一体化されている。また、第１の操作ボタン成形品８ａを上ケース７のピン７ａに挿入するためのピン孔１４ａが、各ボタン１３ａの上下に設けられる。下のピン孔１４ａは、連結棒１２ａのボタン１３ａの下の部分に設けられる。連結足１１ａは、弾性を有するものであれば、上記のものに限定されない。
【００１８】
また、第２の操作ボタン成形品８ｂの各ボタン１３ｂには、弾性を有する２本の連結足１１ｂがある。各ボタン１３ｂはそれぞれの２本の連結足１１ｂが連結棒１２ｂに繋がり一体化されている。また、第２の操作ボタン成形品８ｂを上ケース７のピン７ａに挿入するためのピン孔１４ｂが、各ボタン１３ｂの上下に設けられる。下のピン孔１４ｂは、連結棒１２ｂのボタン１３ｂの下の部分に設けられる。連結足１１ｂは、弾性を有するものであれば、上記のものに限定されない。
【００１９】
また、第１の操作ボタン成形品８ａの連結足１１ａと連結棒１２ａとは、同一面上に形成される。第２の操作ボタン成形品８ｂの連結足１１ｂと連結棒１２ｂとは、側面視でクランク状に形成される。連結棒１２ｂが連結足１１ｂよりも後ろに位置する。これは、第１の操作ボタン成形品８ａと第２の操作ボタン成形品８ｂとを組合わせるときに、連結棒１２ａと連結棒１２ｂとが干渉しないようにするためである。また、それぞれの連結足１１ａと連結足１１ｂとが面一になるようにするためである。
【００２０】
また、連結足１１ｂの上下の幅は、連結足１１ａの上下の幅よりも長くなっている。これは、第１の操作ボタン成形品８ａ（図５の例では、６個のボタン１３ａを有する）と第２の操作ボタン成形品８ｂ（図５の例では、５個のボタン１３ｂを有する）とを組合わせるときに、第２の操作ボタン成形品８ｂの下のピン孔１４ｂが、第１の操作ボタン成形品８ａの連結棒１２ａと重なり隠れることがないようにするためである。
【００２１】
図５に示すように、第１の操作ボタン成形品８ａと第２の操作ボタン成形品８ｂとを組合わせた場合、連結棒１２ａのピン孔１４ａと、連結棒１２ｂのピン孔１４ｂとは上下方向の位置が異なる。連結棒１２ａのピン孔１４ａと、連結棒１２ｂのピン孔１４ｂとは千鳥状の配置となる。
【００２２】
第１の操作ボタン成形品８ａと第２の操作ボタン成形品８ｂとを、上ケース７に固定する場合、先ず第１の操作ボタン成形品８ａを上ケース７のピン７ａにピン孔１４ａを挿入する。次に、第２の操作ボタン成形品８ｂをその連結棒１２ｂが、第１の操作ボタン成形品８ａの連結棒１２ａに重なるように、且つボタン１３ｂがボタン１３ａの間に入るようにピン孔１４ｂを上ケース７のピン７ａに挿入して固定する。
【００２３】
第１の操作ボタン成形品８ａの連結棒１２ａと、第２の操作ボタン成形品８ｂの連結棒１２ｂとの形状は、逆になってもよい。その場合は、上ケース７に第２の操作ボタン成形品８ｂを先に取り付けることになる。
【００２４】
第１の操作ボタン成形品８ａのボタン１３ａの２本の連結足１１ａ、及び第２の操作ボタン成形品８ｂのボタン１３ｂの２本の連結足１１ｂは、図４に示すように、一方がくの字形状で、他方が逆くの字形状である。そして、くの字形状及び逆くの字形状は、上下に略対称でもよいし、上下に非対称で、図５に示すように、下の部分が上の部分より横幅が狭い形状でもよい。このようにすると、材料費を削減できる効果と、ユーザが操作ボタン８を操作する場合の操作性を向上させる効果とがある。
【００２５】
図４の例では、第１の操作ボタン成形品８ａのボタン１３ａの数は、第２の操作ボタン成形品８ｂのボタン１３ｂの数より多い。よって、第１の操作ボタン成形品８ａの左右方向の長さは、第２の操作ボタン成形品８ｂの左右方向の長さより長くなる。左右方向に長くなると第１の操作ボタン成形品８ａは、左右方向に撓みやすい。しかし、第１の操作ボタン成形品８ａの上下方向の長さは、第２の操作ボタン成形品８ｂの上下方向の長さより短いので、第１の操作ボタン成形品８ａ単体でのボタン１３ａの姿勢は安定する。
【００２６】
第２の操作ボタン成形品８ｂの上下方向の長さは、第１の操作ボタン成形品８ａの上下方向の長さより長いので、上下方向に撓みやすいが、第２の操作ボタン成形品８ｂの左右方向の長さは、第１の操作ボタン成形品８ａの左右方向の長さより短いので、全体的には両者はバランスが取れている。
【００２７】
以上のように、本実施の形態によれば、操作パネル１が、複数の形状の異なる、スイッチ９ａを操作するボタン１３ａを一個飛びに一列に一体成形された第１の操作ボタン成形品８ａと、第１の操作ボタン成形品８ａのボタン１３ａ間に収まる複数の形状の異なる、スイッチ９ａを操作するボタン１３ｂを一個飛びに一列に一体成形された第２の操作ボタン成形品８ｂとを組合せて、ボタン１３ａ，１３ｂが曲線状に一列に連続配置された操作ボタン８を備えたことにより、部品点数が少なく、操作ボタン全体の意匠性が優れ、コンパクトにボタン配置ができ、安価な空気調和機の操作パネルが得られる。
【００２８】
この実施の形態に係る空気調和機の操作パネルは、第１の操作ボタン成形品と第２の操作ボタン成形品との各ボタンは、下部に弾性を有する連結足を有し、連結足を連結棒にて一体に成形した構成にしたので、形状の異なる多数のボタンを２分割という少ない部品数の成形品で形成できる。
【００２９】
また、この実施の形態に係る空気調和機の操作パネルは、第１の操作ボタン成形品と第２の操作ボタン成形品とを組合わせた場合に、それぞれの連結棒同士が干渉しないように、連結棒のいずれかをクランク形状にしたので、連結棒同士が干渉しないことに加えて、それぞれの連結足を面一にできる。
【００３０】
また、この実施の形態に係る空気調和機の操作パネルは、複数個のピンを形成した上ケースを設け、第１の操作ボタン成形品と第２の操作ボタン成形品とのそれぞれのボタンの上下にピンに嵌合するピン孔を形成し、下のピン孔は、第１の操作ボタン成形品と第２の操作ボタン成形品とが組み合わされた場合、千鳥状に配置されるので、第１の操作ボタン成形品と第２の操作ボタン成形品との組付け間違いがなく、やり直しを回避できる。
【００３１】
また、この実施の形態に係る空気調和機の操作パネルは、第１の操作ボタン成形品のボタンの数と、第２の操作ボタン成形品のボタンの数とが異なるので、見分けがつきやすい。組付け間違いがなく、やり直しを回避できる。
【図面の簡単な説明】
【００３２】
【図１】実施の形態１を示す図で、床置き形空気調和機１００の斜視図。
【図２】実施の形態１を示す図で、操作パネル１の分解斜視図。
【図３】実施の形態１を示す図で、操作パネル１の断面図。
【図４】実施の形態１を示す図で、操作ボタン８の構成を示す分解斜視図。
【図５】実施の形態１を示す図で、操作ボタン８の正面図と平面図である。
【符号の説明】
【００３３】
１  操作パネル、２  吸込みグリル、２ａ  吸込み口、３  フロントパネル、４  シャッターパネル、５  サイドパネル、６  ベース、７  上ケース、７ａ  ピン、８  操作ボタン、８ａ  第１の操作ボタン成形品、８ｂ  第２の操作ボタン成形品、９  基板、９ａ  スイッチ、９ｂ  表示部、１０  下ケース、１１ａ  連結足、１１ｂ  連結足、１２ａ  連結棒、１２ｂ  連結棒、１３ａ  ボタン、１３ｂ  ボタン、１４ａ  ピン孔、１４ｂ  ピン孔、１００  床置き形空気調和機。
【図１】
2008151419.tif 000003
【図２】
2008151419.tif 000004
【図３】
2008151419.tif 000005
【図４】
2008151419.tif 000006
【図５】
2008151419.tif 000007